(57)【要約】【課題】  非使用時にコンパクトな形態とでき、広い設置スペースを必要としないとともに、持ち運びが容易に行われるストレッチャーを提供する。【解決手段】  下面の前後両端にキャスター１０が取り付けられた下台部２と、下台部２上に設置されるベッド部３とからなるストレッチャーであり、下台部２とベッド部３とは分離可能であり、下台部２が上下方向に伸縮構造で縮小時に扁平形態となり、ベッド部３が長手方向の途中部で折り畳まれる構造であり、非使用時において、扁平形態の下台部２と折り畳み状態のベッド部３とが積層形態において一体とされ設置されるストレッチャー。【選択図】図５
2018033912.tif 000002
【特許請求の範囲】
【請求項１】
下面の前後両端にキャスターが取り付けられた下台部と、前記下台部上に設置されるベッド部とからなるストレッチャーであり、
前記下台部と前記ベッド部とは分離可能であり、
前記下台部が上下方向に伸縮構造で縮小時に扁平形態となり、
前記ベッド部が長手方向の途中部で折り畳まれる構造であり、
非使用時において、前記扁平形態の前記下台部と前記折り畳み状態の前記ベッド部とが積層形態において一体とされ設置されることを特徴とするストレッチャー。
【請求項２】
前記折り畳み状態の前記ベッド部が、前記扁平形態の前記下台部の下面の前後両端の前記キャスター間に配置される請求項１記載のストレッチャー。
【請求項３】
前記折り畳み状態の前記ベッド部の厚みが、前記下台部の下面からの前記キャスターの突出長さ以下である請求項２記載のストレッチャー。
【請求項４】
前記設置の際に、固定ベルトにより全体が固定される請求項１記載のストレッチャー。
【発明の詳細な説明】
【技術分野】
【０００１】  この発明は、介護等において使用されるストレッチャーに関する。
【背景技術】
【０００２】  最近では介護現場においてもストレッチャーが必要とされることが多い。しかしながらストレッチャーは長尺であるので広い配置スペースが必要となり、介護施設等においてはその設置場所に困る。また、被介護者の車による搬送の際、迎えに行く被介護者の状態が変化した場合等において急にストレッチャーが必要となる場合があり、その際には介護施設にストレッチャーを取りに戻らなければならず、非常に手間がかかる。
【発明の概要】
【発明が解決しようとする課題】
【０００３】  この発明は上記の事情に鑑みて行ったもので、非使用時にコンパクトな形態とでき、広い設置スペースを必要としないとともに、持ち運びが容易に行われるストレッチャーを提供することを目的とする。
【課題を解決するための手段】
【０００４】  この発明では、下面の前後両端にキャスターが取り付けられた下台部と、前記下台部上に設置されるベッド部とからなるストレッチャーであり、前記下台部と前記ベッド部とは分離可能であり、前記下台部が上下方向に伸縮構造で縮小時に扁平形態となり、前記ベッド部が長手方向の途中部で折り畳まれる構造であり、非使用時において、前記扁平形態の前記下台部と前記折り畳み状態の前記ベッド部とが積層形態において一体とされ設置されることを特徴とするストレッチャーを提供する。【０００５】  上記構成のストレッチャーは、非使用時に扁平形態の下台部と折り畳み状態のベッド部とが積層形態において一体とされることでコンパクトな状態で設置される。【０００６】  折り畳み状態のベッド部が、扁平形態の下台部の下面の前後両端のキャスター間に配置されることで、折り畳まれたベッド部は下台部からその端部が外方に突出することなく、両端がキャスター間に位置決めされて下台部の下面に安定して納まる。さらに、折り畳み状態のベッド部の厚みが、下台部の下面からのキャスターの突出長さ以下であることで、ベッド部はキャスターの端部より突出することなく下台部の下面にさらに安定して納まる。その積層体は固定ベルトにより全体が固定されることで安定して設置され、かつ、持ち運びが容易に行われる。
【発明の効果】
【０００７】  この発明によれば、非使用時にコンパクトな形態とでき、広い設置スペースを必要としないとともに、持ち運びが容易に行われるストレッチャーを提供される。
【図面の簡単な説明】
【０００８】
【図１】  この発明のストレッチャーの外観斜視図
【図２】  この発明のストレッチャーの下台部とベッド部との分離状態の斜視図
【図３】  この発明のストレッチャーの下台部の扁平形態状態の斜視図
【図４】  この発明のストレッチャーのベッド部の単独使用の際の斜視図
【図５】  この発明のストレッチャーの下台部とベッド部との積層状態の斜視図
【図６】  この発明のストレッチャーの下台部とベッド部との積層固定状態の斜視図
【発明の好ましい実施形態】
【０００９】  図１はこの発明のストレッチャーの斜視図、図２は同分離状態の斜視図である。ストレッチャー１は下台部２とその上部に設置されるベッド部３とからなり、それぞれは分離可能となっている。
【００１０】  下台部２は金属製で、上側部４と下側部６とが折り畳み部８を介して連結されて構成され、下側部６の下面の前後両端にはキャスター１０のそれぞれが取り付けられている。
【００１１】  上側部４の両側の枠体１２それぞれの内面の一端側にはガイド溝１４が設けられたガイド体１６が取り付けられている。さらに、枠体１２それぞれの外面の両端近傍には鋼材が折り曲げ形成されたベッド部３の嵌合取り付け片１１のそれぞれが固着され、それらの傍位置には抜け止めピン１３のそれぞれがチェーンに連結されて取り付けられている。枠体１２それぞれの端部は枠パイプ１８それぞれを介して連結されている。２０は伸縮パイプ、２２は移動パイプであり、伸縮パイプ２０は太径パイプ２４と細径パイプ２６とからなる。太径パイプ２４の一端が上記移動パイプ２２の中央に連結固定され、細径パイプ２６の一端が上記一方の枠パイプ１８の中央に連結固定され、細径パイプ２６の他端側が太径パイプ２４の他端側に嵌入され、その嵌入長さが変化することで伸縮パイプ２０は伸縮可能となっている。図３に示すように、細径パイプ２６には２個のロック穴２５が、太径パイプ２４には１個のロック穴２７設けられている。移動パイプ２２はその両端に取り付けられた係止片２８のそれぞれが上記ガイド体１６のガイド溝１４それぞれに係止され、係止片２８がガイド溝１４に沿って移動することで移動パイプ２２は枠体１２に沿って移動可能に設けられている。
【００１２】  下側部４は両側の枠パイプ３０のそれぞれと両端の枠パイプ３１のそれぞれとが角部において連結具３４それぞれにより連結固定されるとともに、枠パイプ３０間に移動パイプ３５が設けられて構成されている。連結具３４それぞれの下面にはキャスター１０のそれぞれが取り付けられている。移動パイプ３５は両端に筒部３７を備え、それら筒部３７が枠パイプ３０に移動可能に外嵌されることで移動パイプ３５は枠パイプ３０に沿って移動可能に設けられている。
【００１３】  折り畳み部８は交差状に接触配置される一対の交差パイプ４０のそれぞれと、その交差パイプ４０の交差位置それぞれを回動可能に軸支持する軸支持棒３２とから構成される。交差パイプ４０を構成する４本のパイプ４４それぞれの上端は上側部４の一方側の枠パイプ１８のそれぞれと移動パイプ２２のそれぞれとに回動可能に軸支され、それぞれの下端は下側部４の一方側の枠パイプ３１のそれぞれと移動パイプ３５のそれぞれとに回動可能に軸支されて取り付けられている。一本のパイプ４４にはロックピン４３がチェーンに連結されて取り付けられている。
【００１４】  ベッド部３は周囲を構成する枠部５０と、枠部５０に張設される１枚のベッドシート５２とから構成される。枠部５０は一対のコ字状に折れ曲がる枠パイプ５３それぞれの両端が連結具５４に回動可能に連結され、ベッド部３はその連結位置においてその両側が矢印で示すように上方に折り曲げられて折り畳み可能とされている。枠パイプ５２のそれぞれには下台部２への取り付け用の嵌合係止部５６のそれぞれと、ベッドサイドガードの差し込み取り付け部５８のそれぞれが取り付けられている。嵌合係止部５６のそれぞれにはロック穴５７が設けられている。また、図４に示すように、一方の枠パイプ５２には一対の持ち手部５９が、他方の枠パイプ５２には一対のキャスター６０がともに下面側に折り畳み可能に取り付けられるとともに、他方の枠パイプ５２の端部には脚支持部６２が上面側に折り畳み可能に取り付けられている。
【００１５】    ベッド部３は両端が持たれることで単独で担架としての使用が行える。また、図４に示すようにして、持ち手５９とキャスター６０とで支持させることで床上に簡易ベッドとして設置できるとともに、その状態から持ち手５９側を持ち上げて押すことで一人で被介護者の搬送が行え、その際には起立された脚支持部６２に足が係止されて被搬送者が前方にずり落ちることが防がれる。
【００１６】  ストレッチャー１は折り畳み部８が畳まれないで所定の高さを保つ状態において、下台部２の嵌合取り付け片１１のそれぞれに嵌合係止部５６のそれぞれが上方から嵌合されてベッド部３が装着され使用状態とされる。その際には抜け止めピン１３のそれぞれがロック穴５７に差し込み固定されることでベッド部３が下台部２から離脱することが阻止される。また、伸縮パイプ２０おいて、ロックピン４３がロック穴２７を通してロック穴２５に通されることで太径パイプ２４と細径パイプ２６とは固定状態となり、これにより移動パイプ２２が固定されて交差パイプ４０のそれぞれも固定状態となり、ストレッチャー１はそのベッド部３が所定の高さに保たれる。図２においては右側のロック穴２５を使用しているが、左側のロック穴２５を使用することでベッド部３をより高い位置として使用できる。
【００１７】  ストレッチャー１の非使用時には、抜け止めピン１３のそれぞれがロック穴５７それぞれから外されてベッド部３が上方に持ち上げられることで、嵌合取り付け片１１のそれぞれが嵌合係止部５６のそれぞれから抜け、ベッド部３は下台部２から取り外される。
【００１８】  以下、非使用時のストレッチャー１の設置時おける形態を説明する。下台部２から外されたベッド部３は連結具５４部分で折り曲げられて折り畳み状態とされる。下台部２はロックピン１３がロック穴２７、ロック穴２５から抜かれると、上側部４の自重がかかることで交差パイプ４０のそれぞれが折り畳まれ、これにより下台部２は上下方向において縮小し、上側部４が下側部６上に重なった扁平形態となる。上記の縮小の際には、伸縮パイプ２０において太径パイプ２４が細径パイプ２６から抜ける方向に移動してその太径パイプ２４に一体の移動パイプ２２が枠体１２に沿ってし移動するとともに、移動パイプ３５が枠パイプ３０に沿って移動する。
【００１９】  次に、図５に示すように、扁平形態とされた下台部２は上下が逆方向とされ、嵌合取り付け片１１のそれぞれが脚として床面に置かれる。その下台部２の下側部６下面の両端のキャスター１０の間に折り畳まれたベッド部３が積層配置され、図６に示すように、使用時においてベッド部３上に敷設されるクッションマット７０を介して２本の固定ベルト７２により一体に固定される。その際には、下台部２が嵌合取り付け片１１のそれぞれが脚とされて床面に置かれることで、上側部４と床面との間に空間が形成されるので、固定ベルト７２の装着作業が容易に行われるとともに、ベッド部３が床面に近接しないことで汚れたり濡れたりすることが防がれて衛生上好ましい。
【００２０】  折り畳んだベッド部３の長さＬ１が両端のキャスター１０間距離Ｌ２より若干小さく、かつ、折り畳んだベッド部３の厚さＷ１がキャスター１０の突出距離Ｗ２より小さく設計されていることで、折り畳まれたベッド部３は下台部２からその端部が外方に突出せずに両端がキャスター１０間に位置決めされるとともに、キャスター１０より上方に突出することなく、下台部２の下側部６の下面に安定して納まり良く固定される。
【００２１】  上記のようにして得られた積層固定体１００は、折り畳んだベッド部３が扁平とされた下台部２の下面のキャスター１０間にキャスター１０より上方に突出することなく納められたことでコンパクトなものとなり、介護施設内や介護者の搬送車内に広いスペースを要することなく設置できる。また、コンパクトであることで、固定ベルト７２に吊り下げ具を取り付けたり、全体をバッグに納めたりすることで、その持ち運びが一人で行える。
【符号の説明】
【００２２】１    ストレッチャー
２    下台部
３    ベッド部
１０  キャスター
【図１】
2018033912.tif 000003
【図２】
2018033912.tif 000004
【図３】
2018033912.tif 000005
【図４】
2018033912.tif 000006
【図５】
2018033912.tif 000007
【図６】
2018033912.tif 000008